【手続補正書】
【提出日】平成21年4月24日(2009.4.24)
【手続補正１】
【補正対象書類名】特許請求の範囲
【補正対象項目名】全文
【補正方法】変更
【補正の内容】
【特許請求の範囲】
【請求項１】
被写体を撮影し、得られた画像信号を処理する撮像装置であって、
前記被写体を撮影する際の撮影条件に応じて取得された撮影画像を複数のブロックに分割するブロック分割手段と、
前記ブロック分割手段によって分割されたブロックが白であるか否かを判定して第１のホワイトバランス補正値を算出してホワイトバランス補正を行う第１のホワイトバランス補正手段と、
前記ブロック分割手段によって、前記第１のホワイトバランス補正手段で用いるブロックとは異なる大きさに分割されたブロックが白であるか否かを判定して第２のホワイトバランス補正値を算出してホワイトバランス補正を行う第２のホワイトバランス補正手段と、
前記第１のホワイトバランス補正手段及び第２のホワイトバランス補正手段によって算出されたホワイトバランス補正値に基づきホワイトバランス補正を行う第３のホワイトバランス補正手段とを有することを特徴とする撮像装置。
【請求項２】
前記第３のホワイトバランス補正手段は、前記第１のホワイトバランス補正手段及び第２のホワイトバランス補正手段によって算出されたホワイトバランス補正値を、前記撮影条件に応じて加重加算してホワイトバランス補正を行うことを特徴とする請求項１に記載の撮像装置。
【請求項３】
前記撮影条件は感度情報であり、前記第３のホワイトバランス補正手段は前記感度情報を基にして、前記第１のホワイトバランス補正値と前記第２のホワイトバランス補正値とを加重加算することを特徴とする請求項２に記載の撮像装置。
【請求項４】
前記第３のホワイトバランス補正手段は、前記第１のホワイトバランス補正値と前記第２のホワイトバランス補正値とを加重加算してホワイトバランス補正係数を算出するとともに、前記撮影画像全体における白の割合を基に加重加算してホワイトバランス補正を行うことを特徴とする請求項２に記載の撮像装置。
【請求項５】
被写体を撮影することにより得られた画像信号を処理する画像処理方法であって、
前記被写体を撮影する際の撮影条件に応じて取得された撮影画像を複数のブロックに分割するブロック分割工程と、
前記ブロック分割工程において分割されたブロックが白であるか否かを判定して第１のホワイトバランス補正値を算出してホワイトバランス補正を行う第１のホワイトバランス補正工程と、
前記ブロック分割工程において、前記第１のホワイトバランス補正工程において用いるブロックとは異なる大きさに分割されたブロックが白であるか否かを判定して第２のホワイトバランス補正値を算出してホワイトバランス補正を行う第２のホワイトバランス補正工程と、
前記第１のホワイトバランス補正工程及び第２のホワイトバランス補正工程において算出されたホワイトバランス補正値に基づきホワイトバランス補正を行う第３のホワイトバランス補正工程とを有することを特徴とする画像処理方法。
【請求項６】
前記第３のホワイトバランス補正工程は、前記第１のホワイトバランス補正工程及び第２のホワイトバランス補正工程において算出されたホワイトバランス補正値を、前記撮影条件に応じて加重加算してホワイトバランス補正を行うことを特徴とする請求項５に記載の画像処理方法。
【請求項７】
前記撮影条件は感度情報であり、前記第３のホワイトバランス補正工程は前記感度情報を基にして、前記第１のホワイトバランス補正値と前記第２のホワイトバランス補正値とを加重加算することを特徴とする請求項６に記載の画像処理方法。
【請求項８】
前記第３のホワイトバランス補正工程は、前記第１のホワイトバランス補正値と前記第２のホワイトバランス補正値とを加重加算してホワイトバランス補正係数を算出するとともに、前記撮影画像全体における白の割合を基に加重加算してホワイトバランス補正を行うことを特徴とする請求項６に記載の画像処理方法。
【請求項９】
被写体を撮影することにより得られた画像信号を処理するようコンピュータに実行させるプログラムであって、
前記被写体を撮影する際の撮影条件に応じて取得された撮影画像を複数のブロックに分割するブロック分割工程と、
前記ブロック分割工程において分割されたブロックが白であるか否かを判定して第１のホワイトバランス補正値を算出してホワイトバランス補正を行う第１のホワイトバランス補正工程と、
前記ブロック分割工程において、前記第１のホワイトバランス補正工程において用いるブロックとは異なる大きさに分割されたブロックが白であるか否かを判定して第２のホワイトバランス補正値を算出してホワイトバランス補正を行う第２のホワイトバランス補正工程と、
前記第１のホワイトバランス補正工程及び第２のホワイトバランス補正工程において算出されたホワイトバランス補正値に基づきホワイトバランス補正を行う第３のホワイトバランス補正工程とをコンピュータに実行させることを特徴とするプログラム。
【請求項１０】
請求項９に記載のプログラムを記録したことを特徴とするコンピュータ読み取り可能な記録媒体。
【手続補正２】
【補正対象書類名】明細書
【補正対象項目名】発明の名称
【補正方法】変更
【補正の内容】
【発明の名称】撮像装置及び画像処理方法
【手続補正３】
【補正対象書類名】明細書
【補正対象項目名】０００１
【補正方法】変更
【補正の内容】
【０００１】
本発明は撮像装置、画像処理方法、プログラム及び記録媒体に関し、特に、高感度時におけるホワイトバランス制御に用いて好適な技術に関する。
【手続補正４】
【補正対象書類名】明細書
【補正対象項目名】００１０
【補正方法】変更
【補正の内容】
【００１０】
本発明の撮像装置は、被写体を撮影し、得られた画像信号を処理する撮像装置であって、前記被写体を撮影する際の撮影条件に応じて取得された撮影画像を複数のブロックに分割するブロック分割手段と、前記ブロック分割手段によって分割されたブロックが白であるか否かを判定して第１のホワイトバランス補正値を算出してホワイトバランス補正を行う第１のホワイトバランス補正手段と、前記ブロック分割手段によって、前記第１のホワイトバランス補正手段で用いるブロックとは異なる大きさに分割されたブロックが白であるか否かを判定して第２のホワイトバランス補正値を算出してホワイトバランス補正を行う第２のホワイトバランス補正手段と、前記第１のホワイトバランス補正手段及び第２のホワイトバランス補正手段によって算出されたホワイトバランス補正値に基づきホワイトバランス補正を行う第３のホワイトバランス補正手段とを有することを特徴とする。
【手続補正５】
【補正対象書類名】明細書
【補正対象項目名】００１１
【補正方法】変更
【補正の内容】
【００１１】
本発明の画像処理方法は、被写体を撮影することにより得られた画像信号を処理する画像処理方法であって、前記被写体を撮影する際の撮影条件に応じて取得された撮影画像を複数のブロックに分割するブロック分割工程と、前記ブロック分割工程において分割されたブロックが白であるか否かを判定して第１のホワイトバランス補正値を算出してホワイトバランス補正を行う第１のホワイトバランス補正工程と、前記ブロック分割工程において、前記第１のホワイトバランス補正工程において用いるブロックとは異なる大きさに分割されたブロックが白であるか否かを判定して第２のホワイトバランス補正値を算出してホワイトバランス補正を行う第２のホワイトバランス補正工程と、前記第１のホワイトバランス補正工程及び第２のホワイトバランス補正工程において算出されたホワイトバランス補正値に基づきホワイトバランス補正を行う第３のホワイトバランス補正工程とを有することを特徴とする。
【手続補正６】
【補正対象書類名】明細書
【補正対象項目名】００１２
【補正方法】変更
【補正の内容】
【００１２】
本発明のプログラムは、被写体を撮影することにより得られた画像信号を処理するようコンピュータに実行させるプログラムであって、前記被写体を撮影する際の撮影条件に応じて取得された撮影画像を複数のブロックに分割するブロック分割工程と、前記ブロック分割工程において分割されたブロックが白であるか否かを判定して第１のホワイトバランス補正値を算出してホワイトバランス補正を行う第１のホワイトバランス補正工程と、前記ブロック分割工程において、前記第１のホワイトバランス補正工程において用いるブロックとは異なる大きさに分割されたブロックが白であるか否かを判定して第２のホワイトバランス補正値を算出してホワイトバランス補正を行う第２のホワイトバランス補正工程と、前記第１のホワイトバランス補正工程及び第２のホワイトバランス補正工程において算出されたホワイトバランス補正値に基づきホワイトバランス補正を行う第３のホワイトバランス補正工程とをコンピュータに実行させることを特徴とする。